(57)【要約】【課題】簡単な構造で、複数のパネル面を面方向に並べて接続した拡張パネル面の剛性を確保すると共に、デザイン性や設計自由度を高める。【解決手段】電子鍵盤楽器１のパネル構造であって、前パネル面３１とその裏面側３１ａで離間する方向に延在する接合面３２とを有する前パネル部材２０と、後パネル面７１とその裏面側７１ａで離間する方向に延在する接合面７２とを有する後パネル部材６０と、接合面３２，７２の前後パネル面３１，７１から離れた位置に設けた固定部４０とを備え、固定部４０は、接合面３２の突出片３３と、接合面７２の挿入部７３と、挿入部７３内に設けた固定面７４と、固定ネジ４１とで構成されており、挿入部７３に挿入された突出片３３が固定ネジ４１で固定面７４に固定されることで、接合面３２，７２が面接合され、前後パネル面３１，７１が連続する一の拡張パネル面８０となる。【選択図】図２
2011027920.tif 000002
【特許請求の範囲】
【請求項１】
電子機器のパネル構造であって、
第１パネル面と、該第１パネル面の裏面側で該第１パネル面から離間する方向に延在する第１接合面とを有する第１パネル部材と、
第２パネル面と、該第２パネル面の裏面側で該第２パネル面から離間する方向に延在する第２接合面とを有する第２パネル部材と、
前記第１、第２接合面の前記第１、第２パネル面から離れた位置に設けた固定部と、を備え、
前記固定部は、前記第１接合面と前記第２接合面のいずれか一方から突出する突出片と、いずれか他方に設けた前記突出片を挿入させる挿入部と、該挿入部内に設けた前記突出片を面接触状態で固定させる固定面と、前記突出片を前記固定面に固定する固定具とで構成されており、
前記挿入部に挿入された前記突出片が、前記固定具により前記固定面に固定されることで、前記第１接合面と前記第２接合面とが面接合され、これにより前記第１パネル面と前記第２パネル面とが連続する一の拡張パネル面となる
ことを特徴とする電子機器のパネル構造。
【請求項２】
前記第１パネル部材は、前記第１パネル面の裏面側に突出して前記第１接合面に沿う突起状のレール部が形成された押出成型部材である
ことを特徴とする請求項１に記載の電子機器のパネル構造。
【請求項３】
前記第２パネル部材には、前記第２パネル面の裏面側に突出する突起状の取付部が設けられており、
前記第１パネル部材と前記第２パネル部材との接続箇所を裏面側から補強する補強部材を備え、
前記補強部材は、前記第１パネル部材の前記レール部と、前記第２パネル部材の前記取付部との両方に固定されている
ことを特徴とする請求項１又は２に記載の電子機器のパネル構造。
【請求項４】
前記第１パネル面の裏面側と前記第２パネル面の裏面側とに跨って設置される基板部材をさらに備えた
ことを特徴とする請求項３に記載の電子機器のパネル構造。
【請求項５】
前記第１パネル部材の前記レール部は、所定間隔で配置された複数の突条を備えており、
前記補強部材と前記基板部材の少なくともいずれかは、前記突条の延伸方向における任意の位置に固定が可能なレール用固定具で前記レール部に固定されている
ことを特徴とする請求項３又は４に記載の電子機器のパネル構造。
【請求項６】
前記第１、第２接合面の少なくともいずれかの端部に設けた前記第１、第２パネル面から離間する方向に突出する突起状の位置決め部と、前記基板部材に設けた嵌合部とを備え、
前記基板部材を前記第１、第２パネル面の裏面側に取り付ける際、前記基板部材の嵌合部に前記位置決め部が嵌合することで、該基板部材の位置決めが行われるようにした
ことを特徴とする請求項４又は５に記載の電子機器のパネル構造。
【発明の詳細な説明】
【技術分野】
【０００１】
本発明は、電子ピアノや電子オルガンなどの電子鍵盤装置をはじめとする各種電子機器が備える操作子が配列されたコントロールパネルなどのパネル構造に関する。
【背景技術】
【０００２】
電子ピアノや電子オルガンなどの電子鍵盤装置には、例えば、鍵盤の後側の上部に、操作子が配列されたコントロールパネルなどのパネル面を備えたものがある。このパネル面は、鍵盤の後側の上部を覆う薄板状の部材で構成されている。そして、従来の鍵盤装置では、パネル面の構成部材は、木製品や合成樹脂の成型品、板金製の部品などが主流であった。これに対して、最近では、鍵盤装置の外観に高級感を出したり剛性を高めたりするために、パネル面にアルミなどの押出成型品が使用されるようになっている。
【０００３】
このようなパネル面には、特許文献１に示すように、単一の部材で構成したものがある。すなわち、特許文献１の鍵盤装置が備えるパネル構造では、一枚の板金のみでコントロールパネルを構成している。このパネル構造では、パネル面が単一の部材のみで構成されているため、鍵盤装置の低コスト化を図ることができるが、パネル面が単一の部材であるがゆえに、パネル面の外観のデザイン性を高めるには限度がある。
【０００４】
これに対して、特許文献２に示すように、二枚の板材（前パネルと後パネル）を面方向に並べて接続して一のパネル面（以下、「拡張パネル面」という。）を構成したものがある。特許文献２の鍵盤装置が備えるパネル構造では、前後パネルは互いに同一の素材（いずれもアルミ）で構成されているが、互いの表面処理を異ならせていることで、前後パネルで材質感を切り替えている。また、前後パネルの接続箇所は、前後パネルの端辺同士を上下に重ね合わせて、それらをネジで締結固定している。
【先行技術文献】
【特許文献】
【０００５】
【特許文献１】特開２００８−１６４７７８号公報
【特許文献２】特開２０００−１１２４７６号公報
【発明の概要】
【発明が解決しようとする課題】
【０００６】
特許文献２に記載のパネル構造では、前後パネルの端辺が重なり合って接続されているため、接続箇所の表面に段差ができたり、接続箇所を固定するネジが表面側に露出するなどして、パネル面のデザイン自由度が低くなるおそれがあった。また、上下に重なった前後パネルの端辺をネジで締結するだけの固定方法では、パネル面の接続箇所の剛性を十分に高めることができない。
【０００７】
また、特許文献２に記載のパネル構造では、前後パネル面の表面処理を異ならせているため、単一の部材で構成した場合よりもパネル面のデザイン性を高くできる。しかしながら、前後パネル面を構成する部材がいずれもアルミの押出成型品であるため、鍵盤装置のコストが高くなるという問題がある。また、両方のパネル部材がアルミの押出成型品であることで、パネル部材に操作子を実装した基板などの部品を取り付ける場合、板金製や合成樹脂製のパネル部材と比べて、部品の取付位置や取付方法に制限が生じ易いという問題があった。
【０００８】
本発明は上述の点に鑑みてなされたものであり、その目的は、簡単な構造で、複数のパネル面を面方向に並べて接続した拡張パネル面の撓みや曲げに対する十分な剛性を確保できるとともに、拡張パネル面のデザイン性や設計自由度を高めることができる電子機器のパネル構造を提供することにある。
【課題を解決するための手段】
【０００９】
上記課題を解決するための本発明は、電子機器のパネル構造であって、第１パネル面（３１）と、該第１パネル面（３１）の裏面側（３１ａ）で該第１パネル面（３１）から離間する方向に延在する第１接合面（３２）とを有する第１パネル部材（２０）と、第２パネル面（７１）と、該第２パネル面（７１）の裏面側（７１ａ）で該第２パネル面（７１）から離間する方向に延在する第２接合面（７２）とを有する第２パネル部材（６０）と、第１、第２接合面（３２，７２）の第１、第２パネル面（３１，７１）から離れた位置に設けた固定部（４０）と、を備え、固定部（４０）は、第１接合面（３２）と第２接合面（７２）のいずれか一方から突出する突出片（３３）と、いずれか他方に設けた突出片（３３）を挿入させる挿入部（７３）と、該挿入部（７３）内に設けた突出片（３３）を面接触状態で固定させる固定面（７４）と、突出片（３３）を固定面（７４）に固定する固定具（４１）とで構成されており、挿入部（７３）に挿入された突出片（３３）が、固定具（４１）により固定面（７４）に固定されることで、第１接合面（３２）と第２接合面（７２）とが面接合され、これにより第１パネル面（３１）と第２パネル面（７１）とが連続する一の拡張パネル面（８０）となることを特徴とする。
【００１０】
複数のパネル部材が有するパネル面を面方向に並べて接続して、連続する一の拡張パネル面を形成する場合、単一のパネル部材のみで構成されたパネル面と比べて、面に対して垂直方向に掛かる力に弱く、接続箇所に撓みや曲げが生じ易い。そこで、本発明にかかるパネル構造のように、第１又は第２接合面の挿入部に挿入した第２又は第１接合面の突出片を挿入部内の固定面に面接触状態で固定することで、第１接合面と第２接合面とを面接合し、これにより、第１パネル面と第２パネル面とを面方向に並べて接続した一の拡張パネル面を形成すれば、簡単な構成で、拡張パネル面の剛性を効果的に高めることができ、撓みや曲げが生じ難い一の拡張パネル面を形成することができる。
【００１１】
また、本発明の第１接合面は、第１パネル面の裏面側で該第１パネル面から離間する方向に延在し、第２接合面は、第２パネル面の裏面側で該第２パネル面から離間する方向に延在している。したがって、第１、第２パネル面の接続箇所の表面側には、第１、第２接合面が露出せず、接続箇所の表面側に段差が出来ないようにすることが可能となるので、拡張パネル面の見栄えが良好になる。
【００１２】
また、上記の固定部による固定構造を用いれば、第１、第２パネル部材が互いに異なる材質の場合でも、第１、第２パネル部材を確実に接続することが可能となる。したがって、単一のパネル部材からなるパネル面と同等かそれ以上の剛性を確保しつつ、第１、第２パネル部材の材質を異ならせることで、第１、第２パネル面の接続箇所で材質を切り替えることができるので、電子機器の外観により高級感を持たせることができる。また、第１、第２パネル面のいずれか一方を外観の高級感を出すためのパネル面として用い、他方を基板などの部品を主体的に固定するためのパネル面として用いるなど、材質の異なる複数のパネル面を使い分けることが可能となる。したがって、パネル面に高級感を持たせながら、基板などの部品の取付性を向上させたり、電子機器の組立性を向上させたりすることができる。
【００１３】
また、上記の電子機器のパネル構造では、第１パネル部材（２０）は、第１パネル面（３１）の裏面側（３１ａ）に突出して第１接合面（３２）に沿う突起状のレール部（２３，２６）が形成された押出成型部材であってよい。このように、第１パネル部材にアルミなどの押出成型品を用いることで、パネル部材の外観により高級感を持たせることができる。この場合、第２パネル部材は、押出成型品以外の部品とすることができ、第１パネル面と第２パネル面の材質を異ならせることができる。これにより、パネル部材の外観にさらなる高級感を持たせることが可能となる。また、第１パネル部材の第１パネル面に突起状のレール部を設けることで、押出成型品である第１パネル面の剛性を高めることができる。したがって、第１パネル面と第２パネル面とを接続した拡張パネル面の接続箇所にずれや段差が生じることを防止できる。
【００１４】
また、上記の電子機器のパネル構造では、第２パネル部材（６０）には、第２パネル面（７１）の裏面側（７１ａ）に突出する突起状の取付部（６５）が設けられており、第１パネル部材（２０）と第２パネル部材（６０）との接続箇所を裏面側から補強する補強部材（５５）を備え、補強部材（５５）は、第１パネル部材（２０）のレール部（２３，２６）と、第２パネル部材（６０）の取付部（６５）との両方に固定されているとよい。このような補強部材を備えていれば、第１パネル面と第２パネル面を面方向に並べて接続してなる拡張パネル面の撓みや曲げに対する剛性をさらに高めることができる。特に、拡張パネル面を押圧する方向の荷重がかかった場合でも、拡張パネル面が撓むことを効果的に防止できる。
【００１５】
また、上記の補強部材を設ける場合は、第１パネル面（３１）の裏面側（３１ａ）と第２パネル面（７１）の裏面側（７１ａ）とに跨って設置される基板部材をさらに備えることが可能となる。すなわち、上記の補強部材による補強で、第１パネル面と第２パネル面を面方向に並べて接続した拡張パネル面が撓むことを防止できるので、板状の基板部材を第１パネル面と第２パネル面の裏面側に跨って取り付けることができる。つまり、第１パネル面と第２パネル面の接続箇所を撓ませようとする外力が作用しても、基板部材に無理な力が作用することを防止できる。このような理由から、第１パネル面と第２パネル面の裏面側のスペースを有効活用できるようになる。
【００１６】
また、上記の電子機器のパネル構造では、第１パネル部材（２０）のレール部（２３、２６）は、所定間隔で配置された複数の突条（２４，２５又は２７，２８）を備えており、補強部材（５５）と基板部材（５０）の少なくともいずれかは、突条（２４，２５又は２７，２８）の延伸方向における任意の位置に固定が可能なレール用固定具（５３，５８）でレール部（２３，２６）に固定されているとよい。このような固定具の一例として、一対の突条の間に新規のネジ溝を切りながら締結されるネジが挙げられる。これによれば、第１パネル面の裏面側で第１接合面に沿って形成されたレール部の長手方向に沿う任意の位置に補強部材又は基板部材を固定することができる。したがって、パネル部材に対する補強部材又は基板部材の取付位置の自由度が向上する。
【００１７】
また、上記の電子機器のパネル構造では、第１、第２接合面（３２，７２）の少なくともいずれかの端部に設けた第１、第２パネル面（３１，７１）から離間する方向に突出する突起状の位置決め部（７５）と、基板部材（５０）に設けた嵌合部（５１）とを備え、基板部材（５０）を第１、第２パネル面（３１，７１）の裏面側（３１ａ，７１ａ）に取り付ける際、基板部材（５０）の嵌合部（５１）に位置決め部（７５）が嵌合することで、該基板部材（５０）の位置決めが行われるようにしてよい。これによれば、第１、第２パネル面の裏面側に取り付ける基板部材の位置決めを簡単かつ正確に行うことができるようになり、電子機器の組立性を向上させることができる。
なお、上記の括弧内の符号は、後述する実施形態の対応する構成要素の符号を本発明の一例として示したものである。
【発明の効果】
【００１８】
本発明にかかる電子機器のパネル構造によれば、複数のパネル面を面方向に並べて接続した拡張パネル面の撓みや曲げに対する十分な剛性を確保できるとともに、デザイン性や設計自由度を高めることができる。
【図面の簡単な説明】
【００１９】
【図１】本発明の一実施形態にかかるパネル構造を備えた電子鍵盤楽器の全体構成例を示す斜視図である。
【図２】電子鍵盤楽器の前パネル部材及び後パネル部材を示す概略側断面図である。
【図３】前パネル部材及び後パネル部材を示す図で、（ａ）は、前パネル部材の裏面図、（ｂ）は、後パネル部材の正面図、（ｃ）は、後パネル部材の裏面図、（ｄ）は、（ｂ）のＣ部分拡大図である。
【図４】前パネル部材と後パネル部材を接続した状態を示す図で、（ａ）は、前パネル部材と後パネル部材の側断面図、（ｂ）は、前パネル部材と後パネル部材の一部を裏面側から見た図である。
【図５】固定部の詳細構成を示す図で、図４（ａ）のＡ部分拡大図である。
【図６】前パネル部材と後パネル部材の裏面側に補強部材を取り付けた状態を示す図で、（ａ）は、前パネル部材と後パネル部材の側断面図、（ｂ）は、前パネル部材と後パネル部材の一部を裏面側から見た図である。
【図７】前パネル部材と後パネル部材の裏面側に回路基板を取り付けた状態を示す図で、（ａ）は、前パネル部材と後パネル部材の側断面図、（ｂ）は、前パネル部材と後パネル部材の一部を裏面側から見た図である。
【図８】位置決め片の詳細構成を示す図で、図７（ｂ）のＢ部分拡大図である。
【発明を実施するための形態】
【００２０】
以下、添付の図面を参照して本発明の実施形態を詳細に説明する。図１は、本発明の一実施形態にかかるパネル構造を備えた電子鍵盤楽器（電子機器）の全体構成を示す斜視図である。図１に示す電子鍵盤楽器１は、複数の鍵１１（白鍵１１ａ及び黒鍵１１ｂ）が配列された鍵盤１０を備えている。また、鍵盤１０を収容すると共に電子鍵盤楽器１の外装をなす筐体構造として、鍵盤１０の後側の上部を覆う上ケース２と、鍵盤１０の下面側を覆う下ケース３と、鍵盤１０の両側面を覆う側板４，４とを備えている。なお、鍵盤１０の両端部の外側には、拍子木５，５が設置されている。上ケース２及び下ケース３は、鍵１１の配列方向に沿って延伸する略板状の部材からなる。上ケース２は、本発明にかかるパネル構造が適用される部材であり、鍵盤１０の後側の上部において平面（水平面）内の手前側に配置された前パネル部材（第１パネル部材）２０と、奥側に配置された後パネル部材（第２パネル部材）６０との２部品で構成されている。なお、以下の説明では、横方向というときは、電子鍵盤楽器１における鍵１１の配列方向を示し、前後方向あるいは手前側及び奥側というときは、各鍵１１の長手方向を示す。
【００２１】
図２は、前パネル部材２０及び後パネル部材６０を示す概略側断面図である。また、図３は、前パネル部材２０及び後パネル部材６０を示す図で、（ａ）は、前パネル部材２０の裏面図、（ｂ）は、後パネル部材６０の正面図、（ｃ）は、後パネル部材６０の裏面図、（ｄ）は、（ｂ）のＣ部分拡大図である。前パネル部材２０は、アルミ製の押出成型品であり、鍵盤１０の後端部１０ａの上面側を覆うように略水平面状に配置された上壁２１と、該上壁２１の前端辺から下方に延びて鍵盤１０の後端部１０ａの上方に立設された前壁２２とを有しており、断面形状が横向き略Ｌ字型に形成されている。上壁２１の上面は、略水平面状の前パネル面（第１パネル面）３１になっている。一方、上壁２１の裏面側２１ａには、鍵１１の配列方向に延在する直線状の第１レール部２３及び第２レール部２６が形成されている。第１レール部２３は、上壁２１の前端辺２１ｅに沿う位置（前壁２２の直後の位置）に形成された所定間隔で平行な二本の突条２４，２５を有しており、第２レール部２６は、上壁２１の後端辺２１ｆに沿う位置に形成された所定間隔で平行な二本の突条２７，２８を有している。第１レール部２３及び第２レール部２６の各突条２４，２５，２７，２８は、上壁２１から裏面側２１ａへの突出寸法がいずれも略同一寸法であり、前壁２２の半分よりも若干小さい突出寸法になっている。
【００２２】
第２レール部２６が有する外側の突条２８の外側面は、前パネル部材２０を後パネル部材６０に接続するための接合面（第１接合面）３２になっている。この接合面３２は、その面が前パネル面３１（上壁２１）の裏面側２１ａで前パネル面３１に対して略直交する方向に延在している。また、この接合面３２は、突条２８に沿って鍵１１の配列方向に延在している。そして、接合面３２から後方に向かって略水平に突出する突出片３３が形成されている。突出片３３は、接合面３２における前パネル面３１から下方に離れた位置に設けられており、その面が前パネル面３１と平行に配置された略矩形状の小舌片からなる。またこの突出片３３は、接合面３２の長手方向に沿って所定間隔で複数個が設けられている（図３（ａ）参照）。各突出片３３には、固定ネジ（固定具）４１を固定するためのネジ穴３３ａが形成されている。
【００２３】
なお、前パネル部材２０の上壁２１には、電子鍵盤楽器１の操作に用いるための各種操作スイッチやボリュームなどの操作子（図１参照）６を設置するための開口部２１ｃが形成されている。操作子６は、上壁２１の裏面側２１ａに取り付けた回路基板５０（図７（ａ）、（ｂ）参照）に実装されているもので、上壁２１の開口部２１ｃから前パネル面３１に露出するようになっている。
【００２４】
一方、後パネル部材６０は、鉄製の板金を適宜に折り曲げて形成した板状の部材であり、前パネル部材２０の上壁２１の後端辺２１ｆに連続する略水平面状の上壁６１と、該上壁６１の後端辺から下方に延びて電子鍵盤楽器１の後側を覆う後壁６２とを有しており、断面形状が前パネル部材２０に対して前後対称な横向き略Ｌ字型に形成されている。上壁６１の上面は、略水平面状の後パネル面（第２パネル面）７１になっている。また、上壁６１の前端辺７１ｅには、裏面側７１ａに向かって略垂直に折り曲げられた折曲壁６３が連接されている。折曲壁６３の外側面（前面）は、後パネル部材６０を前パネル部材２０に接続するための接合面（第２接合面）７２になっている。接合面７２は、その面が後パネル面７１の裏面側７１ａで後パネル面７１に対して略直交する方向に延在している。また、この接合面７２は、上壁６１の延伸方向である鍵１１の配列方向に延在している。そして、接合面７２には、略矩形状の開口部からなる挿入部７３が形成されている。挿入部７３は、前パネル部材２０の突出片３３を挿入させるためのスリット状の開口であり、接合面７２の長手方向に沿って突出片３３に対応する位置に複数個が設けられている。
【００２５】
さらに、折曲壁６３の下端辺には、後側に向かって略直角に折り曲げられた下壁６４が連接されている。下壁６４は、折曲壁６３の下端辺に沿ってその面が上壁６１と平行である略水平方向に延伸している。また、挿入部７３に対応する位置の下壁６４の上面は、挿入部７３に挿入された突出片３３を面接触状態で固定するための固定面７４になっている。固定面７４には、固定ネジ４１を挿通するための挿通穴７４ａが形成されている。上記の前パネル部材２０の接合面３２から突出する突出片３３と、後パネル部材６０の接合面７２に設けた挿入部７３と、該挿入部７３内に設けた突出片３３を面接触状態で固定するための固定面７４と、突出片３３を固定面７４に密着固定する固定ネジ４１とによって、接合面３２と接合面７２とを面接合させて前後パネル部材２０，６０を一体に固定する固定部４０が構成されている。
【００２６】
また、折曲壁６３の下端辺には、下壁６４を越えて下方に突出する突起状の位置決め部７５が形成されている。位置決め部７５は、接合面７２（折曲壁６３）と同一面内でその下端から下方に突出する略矩形状の小片である。すなわち、この位置決め部７５は、接合面７２の下端において後パネル面７１から離間する方向（下方）に突出している。位置決め部７５は、折曲壁６３の長手方向に沿って所定間隔で複数が形成されている。
【００２７】
また、上壁６１の裏面側６１ａには、小突起状のタップ（取付部）６５が設置されている。タップ６５は、その下端面の中央にネジ穴（図示せず）が形成された略円柱状の小部材で、上壁６１の裏面側６１ａの適宜位置に複数個が溶接などで固着されている。タップ６５は、後述する回路基板５０や補強部材５５を取り付けるために用いられる。
【００２８】
次に、上記構成の前パネル部材２０と後パネル部材６０とを接続する手順について説明する。図４は、前パネル部材２０と後パネル部材６０を接続した状態を示す図で、（ａ）は、前パネル部材２０と後パネル部材６０の側断面図、（ｂ）は、前パネル部材２０と後パネル部材６０の一部を裏面側から見た図である。また、図５は、固定部４０の詳細構成を示す図で、図４（ａ）のＡ部分拡大図である。前パネル部材２０と後パネル部材６０を接続するには、図２に示すように、前パネル面３１と後パネル面７１が同じ高さで平行になるように前パネル部材２０と後パネル部材６０を前後に並べて配置し、その状態で、図４（ａ）に示すように、前パネル部材２０の接合面３２と後パネル部材６０の接合面７２とを互いに突き合せて当接させる。このとき、前パネル部材２０の突出片３３の位置を後パネル部材６０の挿入部７３の位置に合わせて、突出片３３を挿入部７３に差し込む。これにより、突出片３３が挿入部７３内で固定面７４（下壁６４の上面）の真上に配置される。その状態で、図５に示すように、下壁６４の裏面側から挿通穴７４ａに挿通した固定ネジ４１を突出片３３のネジ穴３３ａに締結する。これにより、固定面７４に対して突出片３３が面接触状態で固定されることで、接合面３２と接合面７２とが面接合（面接触状態で結合）される。こうして、図４（ｂ）に示すように、前パネル面３１と後パネル面７１とを面方向に並べて接続した連続する一の拡張パネル面８０が形成される。
【００２９】
このように、本実施形態の電子鍵盤楽器のパネル構造では、後パネル部材６０の挿入部７３に挿入した前パネル部材２０の突出片３３を挿入部７３内の固定面７４に面接触状態で固定することで、接合面３２と接合面７２とを面接合し、これにより、前パネル面３１と後パネル面７１とを面方向に並べて接続した一の拡張パネル面８０を形成している。したがって、簡単な構成で、拡張パネル面８０の剛性を効果的に高めることができ、撓みや曲げが生じ難い一の拡張パネル面８０を形成することができる。
【００３０】
また、上記の固定構造を用いれば、本実施形態のように、前パネル部材２０と後パネル部材６０とが互いに異なる材質（アルミの押出成型部材と鉄製の板金部材）の場合でも、第１パネル部材２０と第２パネル部材６０とを確実に接続することが可能となる。したがって、従来の単一のパネル部材からなるパネル面と同等かそれ以上の剛性を確保しつつ、第１パネル部材２０と第２パネル部材６０の材質を異ならせることで、前パネル面３１と後パネル面７１との接続箇所で材質を切り替えることができるので、電子鍵盤楽器１の外観により高級感を持たせることができる。
【００３１】
また、本実施形態のパネル構造では、前パネル面３１と後パネル面７１のうち、アルミの押出成型品に設けた前パネル面３１を電子鍵盤楽器１の外観（拡張パネル面８０の外観）の高級感を出すためのパネル面として用い、鉄製の板金に設けた他方の後パネル面７１を回路基板５０などの各種部品を主体的に固定するためのパネル面として用いている。これにより、材質の異なる複数のパネル面を使い分けている。したがって、拡張パネル面８０の外観に高級感を持たせながら、回路基板５０などの部品の取付性を向上させたり、電子鍵盤機器１の組立性を向上させたりすることができる。
【００３２】
また、本実施形態のパネル構造は、上記のように、互いに異なる材質からなる第１パネル部材２０と第２パネル部材６０との二種類の部材を接続する構成なので、これら第１パネル部材２０と第２パネル部材６０のいずれかをさらに別のパネル部材（図示せず）と置換することで、第１パネル部材２０と当該別のパネル部材との組み合わせ、又は第２パネル部材６０と当該別のパネル部材の組み合わせも可能となる。なお、ここで用意する別のパネル部材は、第１パネル部材２０と第２パネル部材６０のいずれかと同一の材質からなるものでもよいし、第１パネル部材２０と第２パネル部材６０の両方と異なる材質のものであってもよい。このように構成すれば、用意する部品の種類を少なく抑えながら、電子鍵盤楽器のパネル構造に多種類のバリエーションを持たせることが可能となる。
【００３３】
また、本実施形態のパネル構造では、前パネル部材２０は、前パネル面３１の裏面側２１ａに突出して接合面３２に沿う突起状の第１レール部２３及び第２レール部２６が形成されたアルミの押出成型部材である。このように、前パネル部材２０にアルミの押出成型品を用いることで、拡張パネル面８０の外観により高級感を持たせることができる。また、本実施形態では、後パネル部材６０は、鉄製の板金部材として、前パネル面３１と後パネル面７１の材質を異ならせている。これにより、拡張パネル面８０の外観のデザイン性を高めることが可能となる。また、前パネル面３１の裏面側２１ａに突起状のレール部２３，２６を設けていることで、押出成型品である前パネル部材２０の剛性を高めることができる。また、これにより、前パネル面３１と後パネル面７１とを面方向に並べて接続した拡張パネル面８０に撓みや曲げが生じることも抑制できる。
【００３４】
図６は、前パネル面３１の裏面側３１ａと後パネル面７１の裏面側７１ａとに補強部材５５を取り付けた状態を示す図で、（ａ）は、補強部材５５の側方から見た前パネル部材２０と後パネル部材６０の側断面図、（ｂ）は、前パネル部材２０と後パネル部材６０の一部を示す裏面図である。本実施形態の電子鍵盤楽器１のパネル構造は、上記の固定部４０による固定構造で一体に接続した前後パネル部材２０，６０に対して、さらに、前パネル面３１の裏面側３１ａから後パネル面７１の裏面側７１ａに跨って設置した補強部材５５を備えている。以下、この補強部材５５の構成、及び該補強部材５５を前後パネル部材２０，６０に取り付ける手順について説明する。
【００３５】
図６（ａ）に示すように、補強部材５５は、鉄製の板金を折り曲げて形成した板状の部材であり、短冊形状の上固定片５６と、該上固定片５６の一端辺から略直角に屈曲して下面側の下方に延びる平板状の立壁部５７と、該立壁部５７の下端から直交する横方向に屈曲した小片状の下固定片５７ａとを備えている。立壁部５７は、上固定片５６の側辺から屈曲して上固定片５６の裏面側に延伸する平板状の部分であり、その下端が後パネル部材６０の後壁６２の下端よりも下側まで延伸するように形成されている。上固定片５６の適宜位置には、第１、第２レール部２３，２６に固定される固定ネジ（レール用固定具）５８を挿通するための挿通穴９１ａと、タップ６５に固定される固定ネジ５９を挿通するための挿通穴９１ｂとが複数個ずつ形成されている。
【００３６】
上記構成の補強部材５５を前パネル面３１の裏面側３１ａと後パネル面７１の裏面側７１ａとに取り付けるには、図６（ａ）及び（ｂ）に示すように、補強部材５５の上固定片５６を前パネル面３１の裏面側３１ａの第１、第２レール部２３，２６と後パネル面７１の裏面側７１ａのタップ６５との間に橋渡し状態となるように設置する。その状態で、上固定片５６の挿通穴５６ｂに挿通した固定ネジ５９をタップ６５のネジ穴に締結する。その後、上固定片５６の挿通穴５６ａに挿通した固定ネジ５８を第１レール部２３の突条２４，２５の間と、第２レール部２６の突条２７，２８の間とに締結する。この締結は、固定ネジ５８で突条２４，２５又は突条２７，２８の側面に新規のネジ溝を切りながら行う。
【００３７】
こうして、補強部材５５の上固定片５６が前パネル面３１の裏面側３１ａと後パネル面７１の裏面側７１ａとに跨って取り付けられる。また、図６（ａ）に示すように、補強部材５５の立壁部５７が前後パネル面３１，７１から離間する方向（真下方向）に延びた状態となる。このような補強部材５５を備えたことで、前パネル面３１と後パネル面７１を面方向に並べて接続した拡張パネル面８０の撓みや曲げに対する剛性を効果的に高めることができる。なお、補強部材５５は、前後パネル部材２０，６０を電子鍵盤楽器１に装着した状態で、図６（ａ）に示すように、その下固定片５７ａが下ケース３の底板３ａに当接する寸法形状に設定されている。なお、下固定片５７ａは、底板３ａにその下面側から挿通した固定ネジ９２を該下固定片５７ａのネジ穴９１ｃに締結することで、底板３ａに対して固定されるようになっている。これにより、前パネル面３１と後パネル面７１との接続箇所が補強部材５５で下側から支持されるので、拡張パネル面８０がより撓みにくくなる。また、前パネル面３１と後パネル面７１との接続箇所が補強部材５５で支持されることで、前パネル面３１と後パネル面７１との接続箇所に表面側から荷重が掛かった場合でも、接続箇所が容易に撓まないようになる。
【００３８】
図７は、前パネル面３１の裏面側３１ａと後パネル面７１の裏面側７１ａとに回路基板５０を取り付けた状態を示す図で、（ａ）は、回路基板５０を含む前パネル部材２０と後パネル部材６０の側断面図、（ｂ）は、前パネル部材２０と後パネル部材６０の一部を裏面側から見た図である。本実施形態の電子鍵盤楽器１のパネル構造は、前パネル部材２０と後パネル部材６０に上記の補強部材５５を取り付けた状態で、さらに、前パネル面３１の裏面側３１ａと後パネル面７１の裏面側７１ａとに跨る位置に回路基板（基板部材）５０を設置している。以下、この回路基板５０の構成、及び該回路基板５０を前後パネル部材２０，６０に取り付ける手順について説明する。
【００３９】
回路基板５０は、平板状の硬質基板であり、その適宜位置には、第１、第２レール部２３，２６に固定される固定ネジ（レール用固定具）５３を挿通するための挿通穴５０ａと、タップ６５に固定される固ネジ５４を挿通するための挿通穴５０ｂとが複数個ずつ形成されている。また、回路基板５０には、後パネル部材６０の折曲壁６３の下端に設けた位置決め部７５を嵌合させる嵌合部５１が設けられている。この嵌合部５１には、位置決め部７５に対応する大きさ及び形状の開口部として形成された嵌合部５１ａあるいは凹部（端辺の切り込み）として形成された嵌合部５１ｂがある。また、回路基板５０には、電子鍵盤楽器１の操作に用いるための各種操作スイッチやボリュームなどの操作子６が実装されている。この操作子６は、既述のように、回路基板５０が前パネル面３１の裏面側３１ａと後パネル面７１の裏面側７１ａとに取り付けられた状態で、上壁２１の開口部２１ｃから前パネル面３１に露出するようになっている。
【００４０】
上記構成の回路基板５０を前パネル部材２０と後パネル部材６０に取り付けるには、まず、図７（ａ）及び（ｂ）に示すように、回路基板５０を、前パネル面３１の裏面側３１ａの第１、第２レール部２３，２６と、後パネル面７１の裏面側７１ａのタップ６５との間に橋渡し状態で設置する。このとき、後パネル部材６０の位置決め部７５によって、前後パネル面３１，７１に対する回路基板５０の位置決め（前後及び左右の位置決め）が行われるようになっている。図８は、位置決め部７５と嵌合部５１（５１ｂ）の詳細構成を示す図で、図７（ｂ）のＢ部分拡大図である。回路基板５０が前パネル面３１の裏面側３１ａと後パネル面７１の裏面側７１ａとの間に設置される際、同図に示すように、回路基板５０の嵌合部５１（５１ａ又は５１ｂ）に後パネル部材６０の位置決め部７５が差し込まれて嵌合するようになっている。これにより、前パネル面３１の裏面側３１ａと後パネル面７１の裏面側７１ａに取り付ける回路基板５０の位置決めを簡単かつ正確に行うことができるので、電子鍵盤楽器１の組立性を向上させることができる。
【００４１】
その状態で、回路基板５０の挿通穴５０ｂに挿通した固定ネジ５４をタップ６５のネジ穴に締結する。その後、回路基板５０の挿通穴５０ａに挿通した固定ネジ５３を第１レール部２３の突条２４，２５の間と第２レール部２６の突条２７，２８の間に締結する。この締結は、固定ネジ５３，５８で一対の突条２４，２５又は２７，２８の間に新規のネジ溝を切りながら行われる。また、これにより、回路基板５０が前パネル面３１の裏面側３１ａと後パネル面７１の裏面側７１ａとに跨ってこれらと平行に取り付けられる。
【００４２】
このように、上記の補強部材５５を設ける場合は、前パネル面３１の裏面側３１ａから後パネル面７１の裏面側７１ａに跨る回路基板５０を設置することが可能となる。すなわち、補強部材５５による補強で、前パネル面３１と後パネル面７１を面方向に並べて接続した拡張パネル面８０が撓むことを防止できるので、回路基板５０など平板状の部品を前パネル面３１と後パネル面７１に跨って取り付けることができる。すなわち、前パネル面３１と後パネル面７１の接続箇所を撓ませようとする外力が作用しても、回路基板５０に無理な力が作用することを防止できる。このような理由から、前パネル面３１の裏面側３１ａと後パネル面７１の裏面側７１ａのスペースを有効活用できる。
【００４３】
また、回路基板５０及び補強部材５５は、前パネル部材２０の第１、第２レール部２３，２６に対して突条２４，２５及び突条２７，２８の間に固定される固定ネジ５３，５８で固定されるようになっている。これら固定ネジ５３，５８は、一対の突条２４，２５又は２７，２８の間に新規のネジ溝を切りながら締結するので、第１、第２レール部２３，２６の任意の位置に固定が可能である。したがって、後パネル部材６０に設けたタップ６５の位置に応じて、第１、第２レール部２３，２６の長手方向に沿う任意の位置に回路基板５０又は補強部材５５を固定することができる。よって、前後パネル部材２０，６０に対する回路基板５０又は補強部材５５の取り付けの自由度が向上する。また、固定ネジ５３，５８の固定において厳密な位置決めを行う必要が無いので、前後パネル部材２０，６０に回路基板５０又は補強部材５５を取り付ける際、先にタップ６５に固定ネジ５４，５９を固定してから、それに合う位置の第１、第２レール部２３，２６に固定ネジ５３，５８を固定することができるので、回路基板５０又は補強部材５５の取付作業が簡単に行えるようになり、電子鍵盤楽器１の組立効率が向上する。
【００４４】
以上本発明の実施形態を説明したが、本発明は上記実施形態に限定されるものではなく、特許請求の範囲、及び明細書と図面に記載された技術的思想の範囲内において種々の変形が可能である。なお、直接明細書及び図面に記載のない何れの形状・構造・材質であっても、本願発明の作用・効果を奏する以上、本願発明の技術的思想の範囲内である。
【００４５】
たとえば、本発明にかかるパネル構造を適用する電子機器は、上記実施形態に示す電子鍵盤楽器には限らず、他の電子機器であってもよい。また、上記実施形態では、突出片３３を前パネル部材２０側に設け、挿入部７３及び固定面７４を後パネル部材６０側に設けた場合を示したが、これとは逆に、突出片３３を後パネル部材６０側に設け、挿入部７３及び固定面７４を前パネル部材２０側に設けるようにしてもよい。
【００４６】
また、上記実施形態では、回路基板５０を位置決めするための位置決め部７５を後パネル部材６０に設けた場合を示したが、位置決め部７５は、前パネル部材２０に設けることも可能である。ただし、本実施形態のように、後パネル部材６０が鉄製の板金部材である場合には、突起片の形成の容易性から、位置決め部７５を後パネル部材６０に設けることが望ましい。また、本発明の固定部が備える突出片を固定面に固定するための固定具は、上記実施形態に示すネジ以外の固定具であってもよい。ネジ以外の固定具として、例えば、リベットなどが挙げられる。
【符号の説明】
【００４７】
１  電子鍵盤楽器
２  上ケース
３  下ケース
４，４  側板
６  操作子
１０  鍵盤
１０ａ  後端部
１１  鍵
２０  前パネル部材（第１パネル部材）
２１  上壁
２２  前壁
２３  第１レール部
２４，２５  突条
２６  第２レール部
２７，２８  突条
３１  前パネル面
３１ａ  裏面側
３２  接合面（第１接合面）
３３  突出片
４０  固定部
４１  固定ネジ（固定具）
５０  回路基板
５３  固定ネジ(レール用固定具）
５５  補強部材
５８  固定ネジ(レール用固定具）
６０  後パネル部材（第２パネル部材）
６１  上壁
６１ａ  裏面側
６２  後壁
６３  折曲壁
６４  下壁
６５  タップ（取付部）
７１  後パネル面
７１ａ  裏面側
７２  接合面（第２接合面）
７３  挿入部
７４  固定面
７５  位置決め部
８０  拡張パネル面
【図１】
2011027920.tif 000003
【図２】
2011027920.tif 000004
【図３】
2011027920.tif 000005
【図４】
2011027920.tif 000006
【図５】
2011027920.tif 000007
【図６】
2011027920.tif 000008
【図７】
2011027920.tif 000009
【図８】
2011027920.tif 000010